(57)【要約】本明細書で議論されるように、ビジュアル通信システム、双方向ビジュアル通信を行う方法、及び装置が提示される。一実施形態では、装置は、（１）片面にマイクロ・レンズの第１のアレイを有するレンズ基板、（２）表示画素の第２のアレイを有する光出力基板、及び（３）第１のアレイの表示画素に関して横に相互分散され、第１のアレイのマイクロ・レンズから光を受光するように配置された画像センサの第３のアレイを有する光入力基板を含む。
2012503211.tif 000002
【特許請求の範囲】
【請求項１】
片面にマイクロ・レンズの第１のアレイを有するレンズ基板と、
表示画素の第２のアレイを有する光出力基板と、
前記第２のアレイの表示画素に関して横に相互分散され、前記第１のアレイの前記マイクロ・レンズから光を受光するように配置された画像センサの第３のアレイを有する光入力基板とを備える、装置。
【請求項２】
前記画像センサのアレイの各画像センサが、前記マイクロ・レンズのアレイの単一のマイクロ・レンズに関して、キャプチャされた光をそのマイクロ・レンズから受光するように配置される、請求項１に記載の装置。
【請求項３】
前記第２のアレイの前記表示画素が前記第１のアレイの前記マイクロ・レンズと横にインタリーブされる、請求項１に記載の装置。
【請求項４】
前記画像センサ及び前記表示画素が横にも縦にもインタリーブされる、請求項１に記載の装置。
【請求項５】
片面にマイクロ・レンズのアレイを有するレンズ基板と、
表示画素のアレイを有する光出力基板と、
前記光出力基板の前記表示画素に関して横にインタリーブされ、前記マイクロ・レンズのアレイから光を受光するように配置された画像センサのアレイを有する光入力基板と、
前記表示画素のアレイ及び前記画像センサのアレイにアドレスするための少なくとも１つのアクティブ・マトリクスと、
前記少なくとも１つのアクティブ・マトリクスを介して前記画像センサのアレイ及び前記表示画素のアレイにアドレスすることを指令するように構成されたコントローラとを備える、ビジュアル通信システム。
【請求項６】
前記コントローラが照明サイクルとブラック・サイクルとの間でサイクルするようにさらに構成され、前記照明サイクル中に前記表示画素のアレイが受信された画像を表示し、前記ブラック・サイクル中に前記画像センサのアレイが前記受信された光によって表された画像をキャプチャする、請求項５に記載のビジュアル通信システム。
【請求項７】
前記マイクロ・レンズのうちの隣接するものどうしの間の間隔が前記マイクロ・レンズのアレイにわたって様々である、請求項５に記載のビジュアル通信システム。
【請求項８】
ガラス・カバー、ガラス基板、及びカラー・フィルタをさらに備え、前記光入力基板、前記光出力基板、及び前記カラー・フィルタが前記ガラス・カバーと前記ガラス基板との間に配置される、請求項５に記載のビジュアル通信システム。
【請求項９】
双方向ビジュアル通信を行う方法であって、
表示するべき第１の画像を受信するステップと、
前記第１の画像をビューアに表示するために表示画素のアレイを照明するステップと、
画像センサのアレイを介して第２の画像をキャプチャするステップであって、前記画像センサが前記表示画素の間に横にインタリーブされるステップとを含む、方法。
【請求項１０】
前記受信された画像がビデオ・ストリームの１つの画像である、請求項９に記載の方法。
【発明の詳細な説明】
【技術分野】
【０００１】
本発明は、一般に、表示及び画像キャプチャ・デバイスを対象とし、より具体的には、表示機能及び画像キャプチャ機能の両方を有するデバイスに関する。
【背景技術】
【０００２】
コンピュータ・ネットワークを介しての通信は、多くの場合、テキストを送信することよりずっと多くのことを含む。インターネットなどのコンピュータ・ネットワークはまた、音声通信及びビジュアル通信のために使用されることが可能である。さらに、画像及びビデオは、そのようなネットワークを通じて送信されることが可能なビジュアル・データの例である。
【０００３】
カメラは、ビジュアル通信を提供するためにパーソナル・コンピュータ（ＰＣ）に結合されることが可能である。その場合、カメラは、コンピュータ・ネットワークを通じてビデオなどのリアルタイム・ビジュアル情報を送信するために使用されることが可能である。ビデオ情報を有する音声送信を可能にするために同時送受通信が使用されることが可能である。したがって、参加者は、コンピュータ・ネットワークを通じてリアルタイムで音声及びビデオを介して通信することができる（即ち、音声・ビデオ通信）。
【先行技術文献】
【特許文献】
【０００４】
【特許文献１】米国特許第６，９２６，８５０号明細書
【発明の概要】
【課題を解決するための手段】
【０００５】
本発明の一態様は、装置を提供する。一実施形態では、装置は、（１）片面にマイクロ・レンズの第１のアレイを有するレンズ基板、（２）表示画素の第２のアレイを有する光出力基板、及び（３）第１のアレイの表示画素に関して横に相互分散され、第１のアレイのマイクロ・レンズから光を受光するように配置された画像センサの第３のアレイを有する光入力基板を含む。
【０００６】
本発明の他の態様は、ビジュアル通信システムを提供する。一実施形態では、ビジュアル通信システムは、（１）片面にマイクロ・レンズのアレイを有するレンズ基板、（２）表示画素のアレイを有する光出力基板、（３）光出力基板の表示画素に関して横にインタリーブされ、マイクロ・レンズのアレイから光を受光するように配置された画像センサのアレイを有する光入力基板、（４）表示画素のアレイ及び画像センサのアレイにアドレスするための少なくとも１つのアクティブ・マトリクス、及び（５）少なくとも１つのアクティブ・マトリクスを介して画像センサのアレイ及び表示画素のアレイにアドレスすることを指令するように構成されたコントローラを含む。
【０００７】
本発明の他の態様は、双方向ビジュアル通信を行う方法を提供する。一実施形態では、本方法は、（１）表示するべき第１の画像を受信するステップ、（２）第１の画像をビューアに表示するために表示画素のアレイを照明するステップ、及び（３）画像センサのアレイを介して第２の画像をキャプチャするステップであって、画像センサが表示画素の間に横にインタリーブされるステップを含む。
【０００８】
次に、本発明のより完全な理解のために、添付の図面に関連して行われる以下の説明が言及される。
【図面の簡単な説明】
【０００９】
【図１】本発明の原理に従って構成されたビジュアル通信システムの一実施形態を有するコンピュータ・モニタがビデオ通信のために使用されている環境の図である。
【図２】表示画素及び画像画素のインタリーブされたアレイを示す本発明の原理に従って構成されたビジュアル通信システムの一実施形態の正面図である。
【図３】本発明の原理に従って構成されたビジュアル通信システムの一実施形態の分解図である。
【図４】ビジュアル通信システムのマイクロ・レンズのアレイによって光がどのようにキャプチャされるかの一実施形態を表すビジュアル通信システムの側面図である。
【図５】本発明の原理に従って構成されたレンズ基板の構成を表すビジュアル通信システムの正面図である。
【図６】本発明の原理に従って実行される双方向ビジュアル通信を行う方法の流れ図である。
【発明を実施するための形態】
【００１０】
音声・ビデオ通信セッション中は、送信されるビジュアル画像はカメラの配置に依存する。したがって、通信時には、１つ又は複数のカメラの位置とＰＣの表示画面との間に差異が存在するので、参加者は互いに目と目を合わせて相手を見ることができない。開示された実施形態は、より現実的な音声・ビデオ通信を可能にする。
【００１１】
様々な実施形態は、音声・ビデオ通信参加者が、画面及びＰＣカメラのそれぞれ異なる軸によってではなく互いに直接相手を見ていると知覚することができるようにするビジュアル通信システムを提供する。ビジュアル通信システムは、表示画素を画像画素とインタリーブすることにより参加者のためのアラインされた又は事実上アラインされた視軸を実現する。したがって、各参加者のためのビジュアル通信システムの入力軸（即ち、カメラ）及び出力軸（即ち、表示装置）は事実上同一である。したがって、視差は大きく低減される、又は少なくとも事実上除去されるはずである。したがって、現在使用されている典型的な「カメラ・オーバ・ザ・スクリーン（ｃａｍｅｒａ−ｏｖｅｒ−ｔｈｅ−ｓｃｒｅｅｎ）」技法に存在するオークワード・ビュー（ａｗｋｗａｒｄ  ｖｉｅｗ）を補償する必要は存在しない。その場合、通信セッションは、パーソン・トゥ・パーソン・ミーティングをよりよくシミュレートすることができる。
【００１２】
様々な実施形態は、表示装置にカメラ画素（即ち、画像センサ）を埋め込み、それらの画像センサが、協働して画像をキャプチャするように、予め決められた方向からの光をキャプチャすることができるようにするいわゆる「マイクロ・レンズ」を利用することにより構成された内蔵分散カメラを有する表示装置を導入する。画像センサのアレイは、表示画素にアドレスするために使用される電子技術及び画素アドレッシング論理のアクティブ層に埋め込まれることが可能である。アクティブ層はまた、画像センサに到達する光強度を読み取るために利用されることが可能である。
【００１３】
図１は、ビジュアル通信システムの一実施形態を有するコンピュータ・モニタ１００が音声・ビデオ通信のために使用されている環境を例示する。通常、モニタ１００は、通常のコンピュータ・モニタにおいて利用される構成要素を含む。さらに、モニタ１００は、音声・ビデオ通信セッションの参加者が「目と目を合わせて」見ているという知覚を可能にする、光入力基板及び光出力基板の両方を有するビジュアル通信システムを含む。これらの光基板は結合されて、音声・ビデオ通信セッションの参加者に共通のカメラ及び表示軸を提供する又は少なくとも事実上提供する表示画素及び画像画素の相互分散されたアレイを生成する。したがって、音声・ビデオ通信セッション中のＰＣカメラの軸と表示画面の軸との間の差異は、除去される又は少なくとも事実上低減されることが可能である。以下で議論される図２は、アレイがインタリーブされている場合の相互分散されたアレイの一実施例を例示する。
【００１４】
モニタ１００以外に、ビジュアル通信システムは、音声・ビデオ通信が使用される様々な製品において使用されることが可能である。例えば、ビジュアル通信システムはまた、テレプロンプタ（登録商標）において及びドライブ・スルーの窓口で使用されることが可能である。ビジュアル通信システムはまた、パーソン・トゥ・パーソン通信以外に他の用途において使用されることが可能である。いくつかの実施形態では、ビジュアル通信システムは、壁のそれぞれの側の表示画素が画像センサを介して壁の反対側にあるものを表示する透明な構造を提供する壁で使用されることが可能である。
【００１５】
図２は、表示画素及び画像センサのインタリーブされたアレイを示すビジュアル通信システム２００の一実施形態の正面図を例示する。この正面図は、図１に例示されているような通信セッションの参加者が見ることができるものを表す。表示画素は、液晶ディスプレイ（ＬＣＤ）画素でよく、画像センサは、電荷結合素子（ＣＣＤ）センサでよい。他の表示画素及び画像センサが使用されてもよい。例えば、表示画素は、発光ダイオード（ＬＥＤ）でよい。以下で議論されるように、表示画素及び画像センサは、ビジュアル通信システムを形成する別個の層又は基板上に配置されることが可能である。２つの異なるアレイの表示画素及び画像センサは相互分散されて、ビデオ通信参加者に、ＰＣカメラ及び画面（例えば、コンピュータ・モニタ）の異なる軸を通して通信しているのではなく、相互に直接（即ち、画面において直接）見ているという知覚を提供する。
【００１６】
表示画素及び画像センサは、他の全ての各画素又はセンサが横にも縦にも逆のタイプであるようにビジュアル通信システム上に配置されることが可能である。いくつかの実施形態では、他の全ての各画素は、図３に例示されているように逆のタイプでなくてもよい。表示画素及び画像センサは、１つの画素グループずつ又は１つの画素ずつインタリーブされることが可能である。したがって、図２の画像センサ及び表示センサは、単一の画素又は画素のグループを表すことができる。表示画素アレイの単一の画素又は画素のグループは、画素２１０として識別され、画像センサ・アレイの単一のセンサ又はセンサのグループは、画素２２０として識別される。ビジュアル通信システムの入力軸及び出力軸は、それぞれがビジュアル通信システムの本質的に同一の点にあるはずなので、事実上同一でよい。したがって、視差は大きく低減され、多分事実上除去されるはずである。
【００１７】
図３は、ビジュアル通信システム３００の一実施形態の分解図である。ビジュアル通信システム３００は、レンズ基板３１０、ガラス・カバー３２０、カラー・フィルタ３３０、光出力基板３４０、光入力基板３５０、ガラス基板３６０、光源３７０、及びコントローラ３８０を含む。
【００１８】
ガラス・カバー３２０及びガラス基板３６０は、通常ＬＣＤデバイスに見られる通常の構成要素でよい。ガラス・カバー３２０及びガラス基板３６０両方の外側表面上にはそれぞれ互いに直角になっている偏光膜がある。カラー・フィルタ３３０はまた、通常のＬＣＤデバイスに見られる典型的なカラー・フィルタでよい。カラー・フィルタ３３０は、単一の表示画素を形成するために赤、緑、及び青のサブ画素を含んでよい。光源３７０は、ＬＣＤデバイスの中に含まれる通常の光源でよい。例えば、光源３７０は、ＬＥＤのアレイでよい。
【００１９】
レンズ基板３１０は、マイクロ・レンズのアレイを含む。マイクロ・レンズは、外側表面上にあってよい。アレイの各マイクロ・レンズは、それぞれ異なる視域からの光をキャプチャし、その視域から入力された光を光入力基板２５０の画像センサに提供するようにレンズ基板３１０上に配列される。マイクロ・レンズのアレイによってキャプチャされた結合された光は、ビジュアル通信システム３００の視野からの画像を表すために、デジタル・カメラと同様に、光入力基板３５０に提供される。
【００２０】
レンズ基板３１０のマイクロ・レンズの形状は、様々な実施形態において様々でよい。様々な横からの形状には、例えば、円形、楕円形、正方形、及び長方形があり得る。いずれか１つの実施形態におけるいくつかのマイクロ・レンズの焦点距離も、様々なマイクロ・レンズから視野内の対象物までの距離の変化を補償するために様々でよい。例えば、マイクロ・レンズのうちのいくつかのものの厚さは様々でよい。さらに、レンズ基板３１０は、当技術分野で一般に使用される様々なエッチング技術を使用して作成されることが可能である。一実施形態では、レンズ基板３１０は、本発明と共に本発明の譲受人に譲渡され、参照によりその全体が本明細書に組み込まれている、「Ｍｅｔｈｏｄ  ｆｏｒ  Ｍａｋｉｎｇ  Ｍｉｃｒｏ  Ｌｅｎｓｅｓ」という名称の２００５年８月９日にＢｏｌｌｅに対して発行された米国特許第６，９２６，８５０号に従って製作されることが可能である。
【００２１】
図３では、レンズ基板３１０は、ガラス・カバー３２０の前に配置された追加の基板として表されている。他の実施形態では、レンズ基板３１０は、通常の技法によってガラス・カバー３２０に取り付けられてもよい。さらに、マイクロ・レンズのアレイは、ガラス・カバー３２０の一部分として製作されてもよい。いくつかの実施形態では、レンズ基板３１０は、当業者にはよく知られているハエの目のタイプでよい。図５は、カラー・フィルタ３３０などのカラー・フィルタに関して、レンズ基板３１０などのレンズ基板の構成を表すビジュアル通信システムの正面図を例示する。
【００２２】
図４は、光がレンズ基板３１０のマイクロ・レンズのアレイによってどのようにキャプチャされることが可能であるかの一例示的実施形態の側面図を例示する。円錐形の光の側面図は、各光線がマイクロ・レンズのアレイの特定のマイクロ・レンズによってキャプチャされた部分を示す視野を表す。完全な視野をキャプチャするために、画像センサの軸及びマイクロ・レンズの軸は、多少一致しなくてもよい。例えば、光入力基板３５０の中心部分のあたりで、マイクロ・レンズと画像センサがアラインされてもよい（即ち、それぞれの軸がアラインされる）。レンズ基板３１０と光入力基板３５０の軸から離れると、視野全体がキャプチャされることを保証するために、マイクロ・レンズ及び画像センサはよりミスアラインされるようになる可能性がある（それぞれの軸の間の距離がより大きくなる）。したがって、マイクロ・レンズのアレイは、レンズ基板３１０から延びる視野を表す各角度からの光をキャプチャするために、レンズ基板３１０にわたって一様に分布され且つ／又は同一の方向に向けられてよい。
【００２３】
上記のように、図４は、光をキャプチャするために使用されることが可能であるマイクロ・レンズの１つの構成の側面図を表す。様々な方向からの光をキャプチャするために他の構成が使用されてもよい。例えば、レンズ基板３１０の上面にあるマイクロ・レンズが、視野の最下部からである画像センサのための光をキャプチャするようにその画像センサに関して配置されてよい。
【００２４】
レンズが視野を表す光をキャプチャするように配置される以外に、レンズはまた、光出力基板３４０の表示画素を見ることができるように配置されてよい。したがって、アレイの各マイクロ・レンズ間に隙間が存在する可能性がある。いくつかのそのような隙間又は各そのような隙間の間に、表示画素が、表示するべき画像の一部分を提示するように配置されてよい。
【００２５】
光出力基板３４０は、光源３７０によって照明されたときにアクティブ・バックプレーンに従って表示を提供する表示画素を含む。図３では、光出力基板３４０は、表示画素を形成する通常の液晶材料又は通常のＬＥＤのアレイを含む。アクティブ・バックプレーンは、各表示画素の動作を指令する。図３には例示されていないアクティブ・バックプレーンは、光入力基板３５０に組み込まれる。光入力基板３５０の中心部分は、アクティブ表示のために取っておかれた端部を有する画像センサを含んでよい。他の実施形態では、光出力基板３４０のためのアクティブ・バックプレーンは、光入力基板３５０とは別の基板上に形成されてよい。アクティブ・バックプレーンは、薄膜トランジスタ（ＴＦＴ）のマトリクスでよく、各ＴＦＴは特定の表示画素にアドレスする。アクティブ・バックプレーンは、アレイ・タイプのＬＣＤデバイス又はＬＥＤデバイスの通常のアクティブ・バックプレーンとして動作することができる。
【００２６】
光入力基板３５０は、レンズ基板３１０によってキャプチャされた光を受光する画像センサのアレイを含む。画像センサは、キャプチャされた光を、キャプチャされた光からのビジュアル・データを表す電気信号に変換する。画像センサは、例えば電荷結合素子（ＣＣＤ）でよい。代替として、画像センサは、相補型金属酸化物半導体（ＣＭＯＳ）センサでもよい。これらのセンサは両方とも通常のデジタル・カメラにおいて利用され、当技術分野ではよく知られている。
【００２７】
コントローラ３８０は、送信のために、画像センサのアレイから電気信号を受信し処理することができる。アクティブ・バックプレーンは、表示画素以外に画像センサにアドレスするために使用されることが可能である。コントローラ３８０によって制御されるスイッチは、表示画素の画像センサを交互に制御するために使用されることが可能である。代替として、画像センサのアレイにアドレスするために別個の制御マトリクスが使用されてもよい。画像センサのための制御マトリクスは、ガラス基板３６０の内側表面上に配置されてよい。いくつかの実施形態では、コントローラ３８０は、メモリに結合されてよく、そこに記憶されるべきキャプチャされた１つ又は複数の画像を送信することができる。コントローラ３８０はまた、表示を提供するために光出力基板３４０の照明を制御する。したがって、コントローラ３８０は、ＬＣＤ画素又はＬＥＤ画素のためのバックプレーンを指令することなど通常行われる様々な機能以外に、本明細書に記載の機能を実行するように構成されたアレイ・タイプのＬＣＤデバイス又はＬＥＤデバイスに通常含まれているプロセッサでよい。したがって、コントローラ３８０は、画像センサ及び表示画素の動作を指令することができる。
【００２８】
さらに、コントローラ３８０は、光源３７０に照明サイクルとブラック・サイクルとの間でサイクルするように指令するように構成されてもよい。照明サイクル中は、光源３７０が点灯され、表示画素が照明される。ブラック・サイクル中は、光源が消灯され、光は画像センサによって受光される。光源３７０が点灯されている場合の時間と、光源が消灯されているときの時間との割合は、画像センサの効率に応じて様々な実施形態において様々であり得る。いくつかの実施形態では、光源３７０は、１０％又は約１０％の時間、消灯サイクルにある。他の実施形態では、光源３７０は、最大５０％又は約５０％の時間、消灯サイクルにあり得る。したがって、コントローラ３８０は、光源３７０に１０％から５０％までの範囲内の時間、消灯サイクルにあるように指令することができる。コントローラ３８０は、光出力基板３４０のために必要とされる明るさと、光入力基板３５０の画像センサのために受光する必要がある光の量との間でバランスを取ることができる。
【００２９】
他の実施形態では、コントローラ３８０が、照明サイクルとブラック・サイクルとの間でサイクルすることを指令するのではなく、光を集めている期間中に光が画像センサへ通り抜けることができるようにするために、表示画素のうちの少なくともいくつかが透明であることを保証するために、電極が表示画素と結合されてもよい。コントローラ３８０は、画像がキャプチャされるときに表示画素の透明度を調整するように構成されることが可能である。例えば、カラー・シーケンシャル方式を利用している通常の表示システムは、カラー・ビデオ・ソースから少なくとも３つの異なるカラー・フィールドを露出する。したがって、コントローラ３８０は、２つの特定のカラー・フレーム間のデッド・タイムを増やし、全ての画素が完全透明にされる「ダミー・フレーム」を導入することができる。
【００３０】
画像を検出するときに、コントローラ３８０は、画像センサが光を集めている時間間隔を制御することができる。したがって、ＣＣＤのようないくつかの通常の検出器アレイと同様に、コントローラ３８０は、画像センサが光を集めている間の時間間隔を制御する「電子シャッタ」を管理するために使用されることが可能である。
【００３１】
コントローラ３８０は、上記機能の１つ又は複数を実行するようにプログラムされた、又はソフトウェア命令のシーケンスの実行可能なプログラムを記憶する、様々な通常のデジタル・データ・プロセッサのうちの１つでよい。そのようなプログラムのソフトウェア命令は、様々なタイプのデジタル・データ・プロセッサ又はコンピュータが前述の機能の１つ、複数又は全てを実行することができるようにするために、通常のデジタル・データ記憶媒体、例えば、磁気又は光ディスク、ランダム・アクセス・メモリ（ＲＡＭ）、磁気ハード・ディスク、フラッシュ・メモリ、及び／又は読出し専用メモリ（ＲＯＭ）上で機械実行可能な形式でエンコードされることが可能である。
【００３２】
図５は、ビジュアル通信システム５００の一実施形態の図を例示する。図５は、カラー・フィルタ５２０の前のレンズ基板５１０を例示する。レンズ基板５１０は、マイクロ・レンズのアレイを含む。カラー・フィルタ５２０は、各カラー表示画素を生成するために使用される赤色フィルタ、緑色フィルタ、及び青色フィルタのサブ画素を含む。レンズ基板５１０の各隣接するマイクロ・レンズは、カラー・フィルタ５２０からそれぞれ異なるカラー・フィルタ（赤色、緑色、又は青色）を利用する。
【００３３】
図３に例示されているように、カラー・フィルタ５２０は、ビジュアル通信システムのガラス・カバーと光出力基板との間に配置されることが可能である。他の実施形態では、ビジュアル通信システム５００は、通常のデジタル・カメラにおいて通常実行されるように画像センサのためにカラー・フィルタリングを実行することができる。したがって、カラー・フィルタ５２０は、光入力基板の上に配置されてよい。例えば、カラー・フィルタ５２０は、光出力基板と光入力基板との間に配置されてよい。
【００３４】
マイクロ・レンズは、全ての各隣接するレンズがそれぞれ異なるカラー・フィルタを利用することができるように配置されてよい。マイクロ・レンズの位置は、画像センサによってキャプチャされた光の方向が表示装置上の全体的な位置の関数として変化するように、各カラー・セグメントの中心に関してウォーク・オフを有してよい。
【００３５】
図６は、双方向ビジュアル通信を行う方法６００の流れ図を例示する。方法６００は、単一の通信セッションのために表示装置として及びカメラとして動作する単一のビジュアル通信システムを利用することを開示する。方法６００は、ステップ６１０において開始する。
【００３６】
次いで、ステップ６２０において、表示するべき画像が受信される。画像は、リモート装置から受信されてよい。例えば、画像は、コンピューティング・ネットワークを介してＰＣカメラを利用して遠くのコンピュータから受信されてよい。いくつかの実施形態では、受信された画像は、音声・ビデオ通信セッションの参加者のビデオでよい。
【００３７】
画像を受信した後に、ステップ６３０において、表示画素のアレイは、受信された画像を表示するために照明される。表示画素は、液晶表示画素でもよく、発光ダイオード表示画素でもよい。薄膜トランジスタ（ＴＦＴ）のアクティブ・バックプレーンが、受信された画像を提示する表示画素のアレイにアドレスするために使用されてよい。
【００３８】
ステップ６４０において、表示画素のアレイと相互分散された画像センサのアレイを介して画像がキャプチャされる。キャプチャされた画像は、音声・ビデオ通信セッションの第２の参加者のものでよい。一実施形態では、受信された画像は、第２の装置から、第１の装置において受信されることが可能であり、キャプチャされた画像は、第１の装置の視野の中に位置している第２の参加者のものである。第１の装置及び第２の装置は両方とも、本明細書に記載のビジュアル通信システムを含んでよい。
【００３９】
表示画素のアレイの照明は、サイクルで行われることが可能である。プロセッサは、アレイの照明を制御するために使用されることが可能である。プロセッサはまた、照明サイクルの間に画像をキャプチャすることを調整することができる。コントローラ３８０のようなコントローラは、プロセッサとして使用されることが可能である。
【００４０】
プロセッサはまた、ビジュアル通信システムのバック・ライトから画像センサによって不所望の吸収光を遮断することができる。プロセッサは、キャプチャされた画像から不所望の光をキャンセルするためのソフトウェア・プログラムを実行することにより画像センサの上ににじみ出る光を補償することができる。
【００４１】
次いで、方法６００は、ステップ６５０において、キャプチャされた画像を送信することにより進む。キャプチャされた画像は、第１の装置から第２の装置に送信されることが可能である。キャプチャされた画像は、インターネットを含むコンピューティング・ネットワークを通じて転送されることが可能である。第１の装置及び第２の装置は、本明細書に記載のビジュアル通信システムを含むコンピュータ（例えば、パーソナル・コンピュータ又はラップトップ）でよい。キャプチャされた画像を送信した後に、方法６００は、ステップ６６０において終了する。
【００４２】
本開示は、表示装置のために及びカメラのために使用されることが可能である単一の画面について記述する。画面は、画像を出力する表示画素のアレイ、及び光を吸収し画像を表す画像センサのアレイを含む。画像センサのアレイ及び表示画素のアレイは、他の全ての各画素又は画素のグループが逆のタイプであるように、画像センサ及び表示画素をインタリーブすることを含めて、横に相互分散されることが可能である。その場合、画面の入力軸及び出力軸は、本質的に同一の点にあるはずである。
【００４３】
本発明が関係する当業者は、前述の実施形態に対して本発明の範囲から逸脱することなく他の及び更なる追加、削除、代替、及び変更が行われることが可能であることを理解するであろう。
【図１】
2012503211.tif 000003
【図２】
2012503211.tif 000004
【図３】
2012503211.tif 000005
【図４】
2012503211.tif 000006
【図５】
2012503211.tif 000007
【図６】
2012503211.tif 000008
【国際調査報告】
2012503211.tif 000009
2012503211.tif 000010